(57)【要約】      （修正有）【課題】分離と組立てが容易で保管時に嵩張らず、しかも耐久性及び安全性に優れた組立式行灯を提供する。【解決手段】脚部を備えた行灯側面部と行灯天面部と行灯底面部とから成り、行灯側面部は、側部同士が凹凸状連結部材で連結と分離が可能に形成され、該各面は、縦枠１の上部と該縦枠１の上端より低い高さに架設した上枠２と該縦枠１の中間高さに架設した下枠３とで光透過板囲部を形成してその内面に設けた差込溝１４に光透過板１５を嵌め込み、行灯天面部は、組み立てた前記行灯側面部の各縦枠の上端に、周囲を各縦枠の上端を側面から囲うように四本の天板枠に段差１８を形成して内面に設けた差込溝１７に天面板９を嵌め込み、行灯底面部は、吸気口１３を形成し、対向した下枠３に乗る長さの燭台板１０の中央部に蝋燭用突起１１を備え、その突起１１の周囲に囲い枠１２を設ける。【選択図】図１
0003144295.tif 000002
【実用新案登録請求の範囲】
【請求項１】
脚部を備えた行灯側面部と行灯天面部と行灯底面部とから成る行灯であって、
前記行灯側面部は、四枚の側部同士が凹凸状連結部材で四角筒状に連結と分離が可能となるように形成され、該各面が、下部に脚部を有する縦枠の上部と該縦枠の上端より低い高さに架設した上枠と該縦枠の中間高さに架設した下枠とで光透過板囲部を形成して、該光透過板囲部に臨む内面に形成した差込溝に光透過板を嵌め込んで成り、
行灯天面部は、四角筒状に組み立てた前記行灯側面部の各縦枠の上端に、周囲を各縦枠の上端を側面から囲うように四本の天板枠に段差を形成して、その内部に形成した差込溝に天面板を嵌め込んで成り、
行灯底面部は、吸気口を備え、四角筒状に組み立てた前記行灯側面部の対向した下枠に乗る長さに形成した燭台板の中央部に蝋燭を立てる突起を備えると共にその突起の周囲を該突起の高さと等しいか又は高くした囲い枠を設けて成り、
前記行灯側面部と行灯天面部と行灯底面部との各部の分離と組立てを可能としたことを特徴とする組立式行灯。
【請求項２】
凹凸状連結部材が樹脂製で、一方の凹状連結部材の押圧挟み部内に形成された突起挟込み空間内に他方の凸状連結部材の嵌合突起部が押圧挟み部により押圧されえた状態に挟まれて連結されるようにしたことを特徴とする請求項１に記載の組立式行灯。
【請求項３】
行灯側面部の対向する一方側の横幅と他方側の横幅とを、縦枠面から突出した凹凸状連結部材が、各部を分離して積み重ねたときに上又は下の別側の対向した縦枠に接触しないように異なる長さに上枠及び下枠を形成し、分離した各部の重ね合わせを可能としたことを特徴とする請求項１又は２に記載の組立式行灯。
【請求項４】
光透過板が透明又は半透明の合成樹脂板とコート紙との積層板であることを特徴とする請求項１から３のうちいずれかに記載の組立式行灯。
【請求項５】
天面板が不燃性ベニヤ板又は難燃性ベニヤ板で形成されたことを特徴とする請求項１から４のうちいずれかに記載の組立式行灯。
【考案の詳細な説明】
【技術分野】
【０００１】
本考案は、飲食店の店頭に置いたり、イベントやお祭りなどに使用する組立式行灯に関する。
【背景技術】
【０００２】
日本のお祭りには、蝋燭を立てて明かりを灯す行灯が使用されており、そのような行灯は、光を得るための蝋燭の炎によって、転倒したとき火災が起こり易いという難点があった。
そこで下記特許文献１にあるように、家庭用電源や電池を電源とし電球を使用した安全な行灯が多く使用されている。
しかし、お祭りで使用する行灯は通常祭が行われる町内全体を装飾するために数が極めて多く、従来の行灯では嵩張ってしまうので保管などの扱いには大変苦労していた。
【特許文献１】特開２００７−２４２３９９号公報
【考案の開示】
【考案が解決しようとする課題】
【０００３】
上記特許文献１にあるように電球を使用した場合、火災については安全ではあるが蝋燭のような光のゆらぎがなく、光が単調なので風情がないとうい難点があり、嵩張ってしまうので運搬や保管の際の取り扱いに困難性があった。
そこで本考案は、お祭りなどに使用する行灯を、火災に対して安全で、分解と組立てが容易となり、しかも分解すると嵩張らずに積み重ねられて運搬や保管の際の取り扱いが容易となる組立式行灯を提供することを目的とする。
【課題を解決するための手段】
【０００４】
上記課題を解決するために本考案の組立式行灯における請求項１に記載の考案は、脚部を備えた行灯側面部と行灯天面部と行灯底面部とから成る行灯であって、前記行灯側面部は、四枚の側部同士が凹凸状連結部材で四角筒状に連結と分離が可能となるように形成され、該各面が、下部に脚部を有する縦枠の上部と該縦枠の上端より低い高さに架設した上枠と該縦枠の中間高さに架設した下枠とで光透過板囲部を形成して、該光透過板囲部に臨む内面に形成した差込溝に光透過板を嵌め込んで成り、行灯天面部は、四角筒状に組み立てた前記行灯側面部の各縦枠の上端に、周囲を各縦枠の上端を側面から囲うように四本の天板枠に段差を形成して、その内部に形成した差込溝に天面板を嵌め込んで成り、行灯底面部は、吸気口を備え、四角筒状に組み立てた前記行灯側面部の対向した下枠に乗る長さに形成した燭台板の中央部に蝋燭を立てる突起を備えると共にその突起の周囲を該突起の高さと等しいか又は高くした囲い枠を設けて成り、前記行灯側面部と行灯天面部と行灯底面部との各部の分離と組立てを容易としたことを特徴とする。
【０００５】
請求項２に記載の考案は、上記考案において、前記凹凸状連結部材が樹脂製で、一方の凹状連結部材の押圧挟み部内に形成された突起挟込み空間内に他方の凸状連結部材の嵌合突起部が押圧挟み部により押圧されえた状態に挟まれて連結されるようにしたことを特徴とする。
【０００６】
請求項３に記載の考案は、上記各考案において、前記行灯側面部の対向する一方側の横幅と他方側の横幅とを、縦枠面から突出した凹凸状連結部材が、各部を分離して積み重ねたときに上又は下の別側の対向した縦枠に接触しないように異なる長さに上枠及び下枠を形成し、分離した各部の安定した積み重ねを可能としたことを特徴とする。
【０００７】
請求項４に記載の考案は、上記各考案において、前記光透過板が透明又は半透明の合成樹脂板とコート紙との積層板であることを特徴とする。
【０００８】
請求項５に記載の考案は、上記各考案において、前記天面板が不燃性ベニヤ板又は難燃性ベニヤ板で形成されたことを特徴とする。
【考案の効果】
【０００９】
本考案の組立式行灯は、お祭りなどに使用する際には、上部の天面板は燃えにくく、光透過板は難燃性なので容易に燃えないため火災に対しての安全を高められる。
また、光透過板は紙ではないので、屋外で雨に濡れても変形や破れるおそれはなく、強風で倒れることがない限り天気を心配する必要がない。
また、行灯側面部は凸状連結部材によって分解と組立てが容易となり、分解したときには、各部を分離して積み重ねたときに縦枠面から突出した凹凸状連結部材が上又は下の別側の対向した縦枠に接触しないように異なる長さに上枠及び下枠が形成されているので嵩張らずに積み重ねられる。この結果、運搬や保管の際の取り扱いが極めて容易となる。
したがって、お祭りに使用する行灯の数が多くても、従来のようには嵩張らずに倉庫などにコンパクトに収納して保管できるようになり、スペースの倉庫では、従来の行灯では満杯であったとしても、本考案の行灯では数を大幅に増やしても保管することが可能となる。
【考案を実施するための最良の形態】
【００１０】
本考案の組立式行灯を実施するための最良の形態を説明する。
本考案は、図１及び図３に示すように、脚部１ｂを備えた行灯側面部Ａと行灯天面部Ｂと行灯底面部Ｃとから成る行灯である。
【００１１】
前記行灯側面部Ａは、図４に示すように、四枚の側部同士が凹凸状連結部材２０、２５で四角筒状に連結と分離が可能となるように形成され、該各面は、図２に示すように、下部に脚部１ｂを有する縦枠１の上部と該縦枠１の上端より低い高さに架設した上枠２と該縦枠１の中間高さに架設した下枠３とで光透過板囲部を形成して、該光透過板囲部に臨む内面に形成した差込溝１４に光透過板１５を嵌め込んで作られる。
【００１２】
そして、行灯天面部Ｂは、図１及び図３に示すように、四角筒状に組み立てた前記行灯側面部Ａの各縦枠１、４の上端に、周囲を各縦枠１、４の上端を側面から囲うように四本の天板枠７、８に段差１８を形成して、その内部に形成した差込溝１７に天面板９を嵌め込んで作られる。
行灯は雨天では上面に水が溜まるおそれがあるので、この天板枠７、８の上面には排出する溝を四隅に設ける。
【００１３】
また、行灯底面部Ｃは、図１及び図３に示すように、吸気口１３を形成した、四角筒状に組み立てた前記行灯側面部Ａの対向した下枠３の載置面１９に乗る長さに形成した燭台板１０の中央部に蝋燭を立てる突起１１を備える。この突起１１は板下面から上に向けて釘を刺したり、金属板の中央に突起１１を形成した燭台を載せたりして設ける。
また、前記囲い枠１２と蝋燭を立てる突起１１とは金属で一体的に形成したものを燭台板１０の中央部に取り付けても良い。
そして、その突起１１の周囲を突起１１の高さと等しいか又は高くした四角の囲い枠１２を設けて作られる。この囲い枠１２は蝋燭の倒れ防止にもなるが、人が乗ったときに突起１１が人の足などの刺さらないように保護するものである。
なお、四角の囲い枠１２の形状は円形や三角形の筒状を成す各種形状が可能である。
突起１１に立てた蝋燭が燃えると、加熱された空気は前記縦枠１の上端より低い高さに架設した上枠２の上に形成される排気口Ｓから外へ排出され、下からは外気が前記吸気口１３から入ってくる。
この空気の流れで炎に風情ある「ゆらぎ」が大きく生じるものとなる。
また、突起１１には蝋燭を立てて使用するが、これとは別に、乾電池を納める筒状の乾電池容器の底部には前記突起１１に直立可能に固定可能とした嵌合穴を備え、上端には豆電球を備えた蝋燭状の照明具を使用することも可能である。
【００１４】
使用する枠材は杉や桧などの木材とすれば風情があって好ましい。特に杉材は耐水性に優れているので屋外で使用する行灯としては最適である。
このような構成なので、前記行灯側面部Ａと行灯天面部Ｂと行灯底面部Ｃとの各部の分離と組立てが大変容易となる。
【００１５】
また、前記凹凸状連結部材２０、２５は樹脂製で、図５に示すように、縦枠１、４に装着され、一方の凹状連結部材２５の押圧挟み部２７内に形成された突起挟込み空間３０内に他方の凸状連結部材２０の嵌合突起部２２が押圧状態に挟まれて連結される（分離した状態を図５の（イ）に示し、連結した状態を図５の（ロ）に示す）。
この凸状連結部材２０は、縦枠１に設けた取付け穴２１に嵌合突起部２２を突出させて  固定部２３をビス２４で固定してある。また凹状連結部材２５は縦枠４に設けた凸状連結部材２０の場合より深い取付け穴２６に両側の押圧挟み部２７を外に向けて固定部２８をビス２４で固定してある。そして、押圧挟み部２７の先端間は嵌合突起部２２が入って広がると嵌合突起部２２を両側から挟みつける仕組みになっている。
なお、本考案の凹凸状連結部材はこのような構造に限定されるものではない。
【００１６】
さらに、図６に示すように、前記行灯側面部の対向する一方側の横幅と他方側の横幅とを、縦枠面から突出した凹凸状連結部材２０、２５が、各部を分離して積み重ねたときに上又は下の別側の対向した縦枠に接触しないように異なる長さに上枠及び下枠を形成し、分離した各部の安定して重ねて積むことが可能となった。
【００１７】
また、前記光透過板１５は透明又は半透明のアクリル脂板とコート紙との積層板とすることが可能である。こうすると、全体で光の透過が可能であり且つアクリル板は耐候性があり高い強度を有するので屋外に置くのに好ましく、またガラスのように割れないので安全である。
また、無可塑硬質塩化ビニル板などの塩ビ樹脂板は、耐久性、耐熱性及び難燃性素材を備えたものもあり、これらの透明又は半透明の脂板板もコート紙を張って使用することができる。
表面に張るコート紙は、白や着色が可能であり、デザインを印刷することも容易である。
例えば、家紋や、応援企業名などの印刷や、背景の柄印刷などもでき、デザインでお祭りの風情をさらにかきたてることが可能となる。
また、光透過板１5は、前記行灯側面部の周囲の前記縦枠１、４、上枠２、５、下枠３、６に形成した差込溝４に周囲が差し込まれて一体となり、前記行灯側面部全体が強固となって、その形状が保持できるようになる。
この強度は、従来のように縦枠、上枠、下枠に紙を貼った場合とは比較できない程大きい強度となる。
この結果、使用する毎に発生していた変形や破損による数の減少割合を少なく抑えることが可能となり、維持費や管理費の目減りを防止できる利点がある。
【００１８】
さらに、前記天面板９が不燃性ベニヤ板又は難燃性ベニヤ板で形成することも可能であり、真下からの蝋燭の炎による加熱変形が少ないので好ましい。
【産業上の利用可能性】
【００１９】
本考案は、イベントや祭りなどに使用する組立式の行灯であるが、家庭用や、葬儀などの儀式用の灯明として使用することも可能である。
【図面の簡単な説明】
【００２０】
【図１】本考案の（イ）が上下枠の長い方から見た行灯側面の縦断側面図、（ロ）が上下枠の短い方から見た行灯側面の縦断側面図である。
【図２】組み立て途中の状態を示す要部の斜視図である。
【図３】一部切欠した状態の組み立て方法を示す斜視図である。
【図４】行灯側面部を４枚に分離した状態を示す斜視図である。
【図５】行灯側面部の接続具部分を示す縦断側面図である。
【図６】各部を分離して積み重ねた状態を示す斜視図である
【符号の説明】
【００２１】
１    縦枠
１ａ  光透過板囲部
１ｂ  脚部
２    上枠
３    下枠
４    縦枠
４ａ  光透過板囲部
４ｂ  脚部
５    上枠
６    下枠
７    天板枠
８    天板枠
９    天面板
１０    燭台板
１１    突起
１２    囲い枠
１３    吸気口
１４    差込溝
１５    光透過板
１７    差込溝
１８    段差
１９    載置面
２０    凸状連結部材
２１    取付け穴
２２    嵌合突起部
２３    固定部
２４    ビス
２５    凹状連結部材
２６    取付け穴
２７    押圧挟み部
２８    固定部
３０    突起挟止め空間
Ａ    行灯側面部
Ｂ    行灯天面部
Ｃ    行灯底面部
Ｓ    排気口
【図１】
0003144295.tif 000003
【図２】
0003144295.tif 000004
【図３】
0003144295.tif 000005
【図４】
0003144295.tif 000006
【図５】
0003144295.tif 000007
【図６】
0003144295.tif 000008